(57)【要約】【課題】体重計及び体脂肪計を備える洗面化粧台を構成し、健康管理に必要な体重値、体脂肪値を、容易に測定す、かつ、容易に確認することのできる洗面化粧台を提供する。【解決手段】洗面化粧台Ａの前方の床面Ｂ上に設置され、又は、洗面化粧台Ａから当該洗面化粧台Ａの前方の床面Ｂ上に引き出し設置される体重及び体脂肪測定部６０を有する体重計及び体脂肪計を備えてなる洗面化粧台Ａであって、この体重計及び体脂肪計の体重値及び体脂肪値の表示部５０を、洗面化粧台Ａのミラー部３１に設けてある。【選択図】図３
2008206831.tif 000002
【特許請求の範囲】
【請求項１】
洗面化粧台の前方の床面上に設置され、又は、洗面化粧台から当該洗面化粧台の前方の床面上に引き出し設置される体重及び体脂肪測定部を有する体重計及び体脂肪計を備えてなる洗面化粧台であって、この体重計及び体脂肪計の体重値及び体脂肪値の表示部を、洗面化粧台のミラー部に設けてあることを特徴とする洗面化粧台。
【請求項２】
前記表示部が液晶表示器の表示面を、前記ミラー部の一部をなすハーフミラー部を構成する反射層の背面に密着するように設けてあることを特徴とする請求項１に記載の洗面化粧台。
【発明の詳細な説明】
【技術分野】
【０００１】
この発明は、居住者が最も頻繁に、しかも、手足を露出した状態で、使用対象とされる洗面化粧台に着眼し、この洗面化粧台の前方に起立して、洗面、歯磨き、化粧等をなす際に、基本的な健康状態、典型的には、体重、体脂肪の変化を認識して、健康管理に資するようにした洗面化粧台の提案に関する。
【背景技術】
【０００２】
健康の管理は、多くの場合、医師による測定、検診による測定を前提に、日々の身体的な変化を自分でチックする程度であって、逐一、体重計を取り出し設置して測定したり、体脂肪計を取り出し設置して計測、確認することは煩雑であった。
【０００３】
ユーザの健康状態を反映する身体部位の特性を計測する健康測定機器をユーザが日常生活において使用する住宅の使用空間に配備し、健康測定機器の計測データが伝送される通信機能を有するコンピュータ及び出力装置を前記使用空間に配置し、該コンピュータは前記健康測定機器から伝送されたデータを時系列に蓄積し、ユーザが前記使用空間を使用しているとき自己健康チェックのために該計測データを出力する日常健康管理システムが提案されている（例えば、特許文献１）。
【０００４】
【特許文献１】特開２００２−８３０５５公開特許公報
【発明の開示】
【発明が解決しようとする課題】
【０００５】
しかし、日常的に、特に、何らかの疾病を意識していない一般の居住生活者にとっては、その取り扱いが煩わしく、効率よく使用されずに放置されてしまうことが多く、膨大な設備コストの割に稼働率が低く、日常的な健康管理システムとして常設するには不向きであった。
【０００６】
しかしながら、洗面化粧室では、洗面、歯磨き等に際して、常に、顔色や、皮膚の状況、眼の状態、口腔内の状況等がつぶさに観察可能であり、居住空間において、健康にもっとも関心を寄せ得る空間条件を満たしている。
【０００７】
かかる洗面化粧台に体重計、体脂肪計を組み入れて、その測定指数を健康管理の一要素として用いることは、洗面化粧台と云う設置空間的な点から比較的無理なく測定でき、また、得られた測定値が当事者において容易に健康管理に用いうる指数であることから、体重計、体脂肪計等を簡易に設置しうる洗面化粧台の提案が求められていた。
【課題を解決するための手段】
【０００８】
この発明は、前記課題を解決するために、洗面化粧台の前方の床面上に設置され、又は、洗面化粧台から当該洗面化粧台の前方の床面上に引き出し設置される体重及び体脂肪測定部を備えてなる体重計及び体脂肪計を備える洗面化粧台であって、この体重計及び体脂肪計の体重値及び体脂肪値の表示部を、洗面化粧台のミラー部に設けてあることを特徴とする洗面化粧台としてある。
【０００９】
このように構成される洗面化粧台にあっては、洗面化粧台の前方にたって洗面化粧をなす際に、同一の態様で、体重、体脂肪を測定でき、しかも、その測定結果を、比較的見やすい化粧ミラー部に備えられている表示部で確認することができ、従前の床おき式の体重計や、体脂肪計等と異なり、測定結果の確認が容易かつ確実とされる。
【００１０】
また、体重計、体脂肪計における体重及び体脂肪測定部のみを、洗面化粧台の前方に設置しておき、又は、洗面化粧台から当部に必要に応じて引き出し設置して、用いるようにしてあることから、洗面化粧操作の妨げとならず、また、洗面化粧台回りの意匠性を損なうこともない。
【００１１】
また、前記構成に係る洗面化粧台にあって、 前記表示部が液晶表示器の表示面を、前記ミラー部の一部をなすハーフミラー部を構成する反射層の背面に密着するように設けてあることを特徴とする洗面化粧台では、通例は、化粧鏡として機能しているミラー部に体重計、体脂肪計で得られた測定結果等を表示させることができ、洗面化粧台の機能的、意匠的特性を損なうこと無く測定結果を、最も見易い位置に表示確認することができる。
【発明の効果】
【００１２】
この発明に係る洗面化粧台は、洗面化粧台としての機能性、意匠性を損なうこと無く、体重計及び体脂肪計を備える洗面化粧台を構成でき、使い勝手がよく、健康管理維持に必要な体重値、体脂肪値を、容易に測定す、かつ、容易に確認することのできる洗面化粧台を提供する。
【発明を実施するための最良の形態】
【００１３】
以下、図１〜図４にもとづいて、この発明を実施するための最良の形態に係る洗面化粧台Ａについて説明する。
【００１４】
なお、ここで図１は当該発明を実施するための最良の形態に係る洗面化粧台Ａを正面から見て、図２は、要部を破断して、これを側面から見て、図３は、これを斜め上方から見て、図４は、ミラー部３１の要部を拡大断面して側方から見て、それぞれ示してある。
【００１５】
この発明を実施するための最良の形態に係る洗面化粧台Ａは、洗面化粧台Ａの前方の床面Ｂ上に設置され、又は、洗面化粧台Ａから当該洗面化粧台Ａの前方の床面Ｂ上に引き出し設置される体重及び体脂肪測定部６０を有する体重計及び体脂肪計を備えてなる洗面化粧台Ａであって、この体重計及び体脂肪計の体重値及び体脂肪値の表示部５０を、洗面化粧台Ａのミラー部３１に設けてある。
【００１６】
この体重計及び体脂肪計の備えられる洗面化粧台Ａは、いわゆる洗面化粧に用いられる洗面ボール部２１をカウンター２０に備えると共に化粧ミラー部３１を備えるものであれば、いかなる形態の洗面化粧台Ａであってもよい。
【００１７】
また、ここで用いられる体重計及び体脂肪計は、体重及び体脂肪測定部６０を、洗面化粧台Ａの前方の床面Ｂ上に引き出し設置され、又は、この洗面化粧台Ａの前方の床面Ｂ上に設置されており、しかも、その、表示部５０をミラー部３１に備えているものであれば、いかなる形態の体重計であっても、いかなる形態の体脂肪計であってもよい。
【００１８】
このように構成される洗面化粧台Ａにあっては、洗面化粧台Ａの前方にたって洗面化粧をなす際に、同一の態様で、体重、体脂肪を測定でき、しかも、その測定結果を、比較的見やすい化粧ミラー部３１に備えられている表示部５０で確認することができ、従前の床おき式の体重計や、体脂肪計等と異なり、測定結果の確認が容易かつ確実とされる。
【００１９】
また、体重計、体脂肪計における体重及び体脂肪測定部６０のみを、洗面化粧台Ａの前方に設置しておき、又は、洗面化粧台Ａから当部に必要に応じて引き出し設置して、用いるようにしてあることから、洗面化粧操作の妨げとならず、また、洗面化粧台回りの意匠性を損なうこともない。
【００２０】
また、前記構成に係る洗面化粧台Ａにあって、 前記表示部５０が液晶表示器５１の表示面５１ａを、前記ミラー部３１の一部をなすハーフミラー部３１’を構成する反射層３１ｂ’の背面に密着するように設けてあることを特徴とする洗面化粧台Ａでは、通例は、化粧鏡として機能しているミラー部３１に体重計、体脂肪計で得られた測定結果等を表示させることができ、洗面化粧台Ａの機能的、意匠的特性を損なうこと無く測定結果を、最も見易い位置に表示確認することができる。
【００２１】
かかるハーフミラー部３１’を構成する反射層３１ｂ’は、洗面化粧台Ａの前方側から見た際には、当該反射層３１ｂ’によって反射されて通常のミラーとして機能し、この反射層３１ｂ’の背面側からの光を洗面化粧台Ａの前方側に透過する機能を備えており、反射層３１ｂ’の背面側に液晶表示器５１の液晶表示パネルを当該反射層３１ｂ’に向けて設置することで、当該表示部５０に表示された測定結果値を、洗面化粧台Ａの前方側から、容易、かつ、確実に視認することができる。
【００２２】
ついで、図示例に係る洗面化粧台Ａを具体的に説明する。
【００２３】
この図示例に係る洗面化粧台Ａは、洗面化粧台Ａから当該洗面化粧台Ａの前方の床面Ｂ上に引き出し設置される体重及び体脂肪測定部６０を有する体重計及び体脂肪計を備えてなる洗面化粧台Ａであって、この体重計及び体脂肪計の体重値及び体脂肪値の表示部５０を液晶表示器５１としてあり、しかも、洗面化粧台Ａのミラー部３１の一部をなすハーフミラー部３１’を構成する反射層３１ｂ’の背面に、この液晶表示器５１の液晶表示面５１ａを当該反射層３１ｂ’に向けて密着するように設けてある。
【００２４】
また、この図示例に係る洗面化粧台Ａでは、 前記表示部５０を液晶表示器５１で構成してあり、この液晶表示器５１の表示面５１ａを、前記ミラー部３１の一部をなすハーフミラー部３１’を構成する反射層３１ｂ’の背面に密着するように設けてある。この結果、洗面化粧台Ａにおけるミラー機能は、そのままにして、必要な測定結果値を、最も視認し易いミラー部３１に表示して確認することができる。
【００２５】
かかる洗面化粧台Ａは、キャビネット１０上に、洗面ボール２１を備えるカウンター２０を乗せ掛けて、これに混合水栓２２を介して温水を蛇口２３から供給するようにしてあり、必要な給排水管設備２４を備えている。
【００２６】
また、キャビネット１０は、台輪１１上に側板１２、背板１３、幕板１６等でボックス状に構成してあり、当該幕板１６の下方にある前面開口部を、抽斗１５、開き戸１４等で、塞ぐようにして用いている。また、この各側板１２、背板１３、幕板１６内に洗面ボール２１が納まるようにカウンター２０を備え付けてある。
【００２７】
この図示例に係る洗面化粧台Ａでは、前記台輪１１における前面側の床面Ｂに沿って当該台輪１１の下端側を、その幅方向に所定幅欠設して、床面Ｂとの間で細長状開口１７を設けてあり、この細長状開口１７を介して、体重及び体脂肪測定部６０を洗面化粧台Ａのキャビネット１０に納め入れ、かつ、当該キャビネト１０内に納め入れられている体重及び体脂肪測定部６０を、洗面化粧台Ａの前方、すなわち、当該洗面化粧台Ａにおける手前方向にある床面Ｂに引き出し設置して用いることができる。
【００２８】
なお、この図示例にあっては、当該体重及び体脂肪測定部６０を完全にキャビネット１０内に押し入れないで、洗面化粧台Ａの外側から、当該体重及び体脂肪測定部６０の一部を握って引き出しうるように、この体重及び体脂肪測定部６０の引き出し手前端部がキャビネト１０から外方に露出するように収納、かつ、引き出すようにしてある。
【００２９】
この体重及び体脂肪測定部６０は、前記細長状開口１７から引き出し、かつ、押し入れうるように扁平なプレート状に構成してあり、上面部が測定面６０ａとしてあって、内臓されているロードセル６５等によって、当該測定面６０ａ上の重量を検出しうるようにしてある。また、この体重及び体脂肪測定部６０の上面部の測定面６０ａには、体脂肪測定用の電極６１、３２、６３、６４が設けてある。
【００３０】
また、このキャビネット１０上には、照明手段３２を上方に備えるようにして化粧ミラーキャビネット３０を、当該化粧キャビネット３０との間に洗面化粧部のバックガード部分４０を介在するように設けてあり、このバックガード部分４０を用いて、当該体重計及び体脂肪計の各種の操作手段を設けてある。かかる操作手段の備えられる操作プレート４１は、例えば、当該体重計及び体脂肪計の計測回路の開閉スイッチ４１ａ、個人識別手段４１ｂ、身長、性別、年齢等の各種個人データの入力手段４１ｃ等を備えているようにしてある。
【００３１】
また、この図示例にあっては、化粧用ミラー部３１は、中央部のミラー部の両側にあるミラー部が、当該中央部のミラー部側の縦軸で回動しうる構成としてあり、その背面に備えられる収納棚等を覆うように構成してある。また、この図示例に係るミラー部３１は、裏板３１ｃの前面側に金属反射層３１ｂを備えており、これを透明のガラス板３１ａで覆った構成としてあり、当該ミラー部３１の一部がハーフミラー部３１’としてある。
【００３２】
このハーフミラー部３１’は、例えば、金属の蒸着によって薄厚に構成された金属反射層３１ｂ’としてあり、光線の一部を透過し、かつ、他を反射するように構成してあり、このハーフミラー部３１’の金属反射層３１ｂ’に表示部５０を設けてある。
【００３３】
この表示部５０は、前記体重及び体脂肪測定部６０において測定されたデータ、前記操作プレート４１の各手段によって入力された各データ等を、個人識別手段で指定されたデータ毎に演算して表示するようにしてあり、この図示例にあっては、これらのデータをデジタルデータとして入出力装置を介して、例えば、液晶表示器５１の液晶表示面５１ａに表示するようにしてある。この図示例にあっては、かかる演算値等を表示する液晶表示面５１ａを前記ハーフミラー部３１’の金属反射層３１ｂ’の背面側に密着して備え付け、洗面化粧台Ａの前面側から薄いハーフミラー部３１’を構成する金属反射層３１ｂ’を介して視認しうるように構成してある。
【００３４】
なお、この図示例にあっては、ＣＰＵ（中央処理装置）７０に対する入出力装置７１、記憶装置７２、表示部５０等を備える体重計及び体脂肪計であって、記憶装置に前記個人識別手段４１ｂによって個人識別のなされた状態で、前もって、又は、当該操作に付随して入力される当該個人の、性別、身長、年齢等の各データを入力し、これに、前記ロードセル６５で検出されたデータをデジタル変換して入力、表示し、かつ、前記電極６１〜６４を介して得られた生体インピーダンスの測定値を入力し、これらの各データを元に、体脂肪値を演算し、得られた体脂肪値を前記入出力装置７１で表示部５０に表示する。なお、この体重計及び体脂肪計を構成する測定部６０及び表示部５０以外の部分は、当該洗面化粧台Ａ内に適宜装備される。
【００３５】
このように、日常的に頻繁に用いる洗面化粧台Ａに体重計、体脂肪計を備えさせ、その測定値をミラー面に表示することで、煩わしさを一切感ずること無く健康管理が可能とされる。
【図面の簡単な説明】
【００３６】
【図１】典型的な洗面化粧台の正面図
【図２】同要部破断側面図
【図３】同斜視図
【図４】同要部拡大断面図
【図５】同体重値及び体脂肪値算出に係るブロック図
【符号の説明】
【００３７】
Ａ  洗面化粧台
Ｂ  床面
３１  ミラー部
５０  表示部
６０  体重及び体脂肪測定部
【図１】
2008206831.tif 000003
【図２】
2008206831.tif 000004
【図３】
2008206831.tif 000005
【図４】
2008206831.tif 000006
【図５】
2008206831.tif 000007